(57)【要約】【課題】背景輝度の低減に有効な改善された構造をもつプラズマディスプレイパネルを提供する。【解決手段】画面の表示ラインに対応した複数の電極対を構成する平行に配列された第１電極および第２電極と、電極対と交差する第３電極とを備え、画面における電極対と第３電極との交差部にセルが画定され、第２電極と第３電極とがセル選択のための電極マトリクスを構成し、第１電極および第２電極が画面の全長にわたって延びる金属帯と当該電極に対応したセルにおける電極面積を決める透明導体とで構成されるプラズマディスプレイパネルにおいて、第１電極を構成する透明導体の単位長あたりの電気抵抗値を、第２電極を構成する透明導体の単位長あたりの電気抵抗値よりも大きくする。【選択図】図３
2008146982.tif 000002
【特許請求の範囲】
【請求項１】
画面の表示ラインに対応した複数の電極対を構成する平行に配列された第１電極および第２電極と、前記電極対と交差する第３電極とを備え、前記画面における電極対と第３電極との交差部にセルが画定され、前記第２電極と第３電極とがセル選択のための電極マトリクスを構成し、前記第１電極および第２電極が前記画面の全長にわたって延びる金属帯と当該電極に対応したセルにおける電極面積を決める透明導体とで構成されるプラズマディスプレイパネルであって、
前記第１電極を構成する透明導体の単位長あたりの電気抵抗値が、前記第２電極を構成する透明導体の単位長あたりの電気抵抗値よりも大きい
ことを特徴とするプラズマディスプレイパネル。
【請求項２】
前記第１電極を構成する透明導体が、前記第２電極を構成する透明導体よりも薄い
請求項１に記載のプラズマディスプレイパネル。
【請求項３】
前記第１電極を構成する透明部分の材質が、前記第２電極を構成する透明導体の材質と異なる
請求項１に記載のプラズマディスプレイパネル。
【請求項４】
前記第１電極を構成する透明部分が酸化亜鉛からなり、前記第２電極を構成する透明導体が酸化インジウム・錫からなる
請求項３に記載のプラズマディスプレイパネル。
【請求項５】
請求項１に記載のプラズマディスプレイパネルと、
前記第２電極に選択的に表示ライン選択のためのスキャンパルスを印加するスキャンドライバと、
選択された表示ラインのデータに応じて前記第３電極に選択的にアドレスパルスを印加するアドレスドライバと、
スキャンパルスおよびアドレスパルスの印加によって選択されたセルで表示放電を起こすサステインパルスを前記第１電極および第２電極に印加するサステインドライバとを備える
ことを特徴とするプラズマディスプレイ装置。
【発明の詳細な説明】
【技術分野】
【０００１】
本発明は、透明導体と金属帯とからなる表示電極を有したプラズマディスプレイパネルおよびそれを用いたプラズマディスプレイ装置に関する。
【背景技術】
【０００２】
カラー映像を表示するＡＣ型プラズマディスプレイパネルは、画面の水平方向に沿って延びる第１電極および第２電極と垂直方向に沿って延びる第３電極とを備えており、平行な電極の電極間で生じるいわゆる面放電形式の表示放電によって発光する。
【０００３】
表示放電を起こす第１電極および第２電極は蛍光体からなる発光面の前側に配置される。そのため、第１電極および第２電極は、太い帯状またはその一部を切り欠いたパターンをもつ透明導体と、バス（母線）と呼ばれる細い金属帯とで構成される。透明導体はセル内に面放電ギャップを画定し、金属帯は面放電ギャップへの通電を良好にする。
【０００４】
表示に際しては、広く知られるようにアドレッシング、サステイン、およびリセットが行われる。アドレッシングはセルの壁電荷量を表示データに応じて２値制御する操作であり、選択されたセル（例えば発光すべきセル）でアドレス放電を起こす。サステインは発光すべきセルで階調に応じた回数の表示放電を起こす操作である。リセットは壁電荷量を初期化する操作であり、少なくとも直前のサステインで発光したセルでリセット放電を起こす。
【０００５】
アドレッシングでは、表示放電に関わる電極対の一方の電極（本明細書ではこれを第２電極とする）が表示ライン選択のためのスキャン電極として用いられ、第３電極が表示データを出力するデータ電極として用いられる。
【０００６】
プラズマディスプレイパネルによる表示に関する課題として背景発光の低減がある。背景発光は画像の黒い部分がうっすらと光って見える不具合であり、アドレス放電やリセット放電といった表示放電以外の放電に起因する。表示放電が階調を決めるために不可欠であり且つ表示放電以外の放電も表示放電を正しく生じさせるために不可欠であるので、背景発光を完全に無くすのは困難である。しかし、コントラストを高める上で、背景発光の輝度のより低いのが望ましい。
【０００７】
従来において、背景輝度の低減を意図した種々の駆動方法が提案されている。アドレス放電やリセット放電の回数を減らす駆動シーケンスの改良、発光色の異なるセルの間で駆動電圧波形（振幅やパルス幅）を切り替える方法がある。また、特開２００６−２４３００２号公報では、いわゆる鈍波リセットにおける鈍波パルスの到達電位を映像の表示率に応じて異ならせる駆動方法が開示されている。
【特許文献１】特開２００６−２４３００２号公報
【発明の開示】
【発明が解決しようとする課題】
【０００８】
駆動に必要な放電を起こすには所定の電圧を印加しなければならないので、セルの放電開始特性で決まる下限値よりも印加電圧を下げることはできない。すなわち、駆動方法による背景輝度の低減には自ずと限界がある。
【０００９】
本発明は、このような事情に鑑み、背景輝度の低減に有効な改善された構造をもつプラズマディスプレイパネルの提供を目的としている。
【課題を解決するための手段】
【００１０】
上記目的を達成するプラズマディスプレイパネルは、画面の表示ラインに対応した複数の電極対を構成する平行に配列された第１電極および第２電極と、前記電極対と交差する第３電極とを備え、前記画面における電極対と第３電極との交差部にセルが画定され、前記第２電極と第３電極とがセル選択のための電極マトリクスを構成し、前記第１電極および第２電極が前記画面の全長にわたって延びる金属帯と当該電極に対応したセルにおける電極面積を決める透明導体とで構成されるプラズマディスプレイパネルであって、前記第１電極を構成する透明導体の単位長あたりの電気抵抗値が、前記第２電極を構成する透明導体の単位長あたりの電気抵抗値よりも大きいことを特徴とする。
【００１１】
透明導体の抵抗値は、金属帯から放電ギャップまでの導通性に関係し、個々のセルの放電に影響する。すなわち、透明導体の抵抗値が大きいほど、所定電圧の印加に呼応して起きる放電において、放電電流が抑制されて発光の輝度が低下する。第１電極の透明導体の抵抗値が第２電極の透明導体の抵抗値よりも大きいので、言い換えれば第２電極の透明導体の抵抗値が第１電極の透明導体の抵抗値よりも小さいので、第２電極と第３電極との間の放電における透明導体の抵抗値の影響は比較的に小さい。このことは、選択セルで起こすアドレス放電の放電ミスを防ぐ上で好ましい。
【００１２】
好ましい態様において、第１電極の透明導体は第２電極の透明導体よりも薄い。
【００１３】
他の好ましい態様において、第１電極の透明導体の材質は、第２電極の透明導体の材質と異なる。
【発明の効果】
【００１４】
本発明によれば、背景輝度の低減に有効な改善された構造をもつプラズマディスプレイパネル、およびそれを用いたプラズマディスプレイ装置が提供される。
【発明を実施するための最良の形態】
【００１５】
以下、本発明の実施形態を説明する。図面においては、構成の特徴の理解を容易にするため、同一の機能を有する要素には全ての図を通して同じ符号を付してある。
【００１６】
図１のように、本発明の実施形態に係るプラズマディスプレイパネル１は、画面５０の水平方向に沿って延びる第１電極である表示電極Ｘ、第１電極と平行な第２電極である表示電極Ｙ、および表示電極Ｘ，Ｙと交差する第３電極であるアドレス電極Ａを備える。表示電極Ｘおよび表示電極Ｙは透明な前面基板１１の内面上に平行に配列されており、アドレス電極Ａは背面基板２１の内面上に配列されている。隣接する表示電極Ｘと表示電極Ｙとが表示放電のための電極対を構成し、表示電極Ｙとアドレス電極Ａとがアドレッシングにおけるセル選択のための電極マトリクスを構成する。電極マトリクスの各交点に１個のセルが対応する。セルは、例えば図２に示す３電極面放電構造をもつ。
【００１７】
図２のように、プラズマディスプレイパネル１は、表示電極Ｘおよび表示電極Ｙを被覆するＡＣ駆動のための誘電体層１７、誘電体層１７に対するスパッタリングを防ぐ保護膜１８、アドレス電極Ａを被覆する誘電体層２２、ガス放電空間を区画する隔壁２３、赤（Ｒ）の蛍光体２４、緑（Ｇ）の蛍光体２５、および青（Ｂ）の蛍光体２６を備える。図２では保護膜１８と隔壁２３とが離れているが、実際にはこれらが当接した状態で表示電極対とアドレス電極Ａとがガス放電空間を介して対向する。
【００１８】
図２では画面５０の一部のみが描かれているが、画面５０には蛍光体２４，２５，２６が水平方向に沿って繰り返し並ぶように配置されている。画面５０は、蛍光体２４が配置された発光色が赤であるＲ発光セル、蛍光体２５が配置された発光色が緑であるＧ発光セル、および蛍光体２６が配置された発光色が青であるＢ発光セルからなる。そして、１個のＲ発光セルと１個のＧ発光セルと１個のＢ発光セルの計３個のセルからなる組が、表示データの１画素に対応する表示画素を構成する。
【００１９】
プラズマディスプレイパネル１における特徴は表示電極Ｘ，Ｙの構成であり、図３によって示される。図３（Ａ）は表示電極のパターンを示す平面図、図３（Ｂ）は図３（Ａ）のｂ−ｂ矢視断面図である。図３（Ａ）では、マトリクス表示の１行に対応した表示ラインを画定する表示電極対の一部分（４個のセルに対応する部分）が描かれている。図３（Ａ）中の括弧で囲まれたアルファベットは発光色を表す。
【００２０】
図３（Ａ）のように、表示電極Ｘは透明導体１２および金属帯１３からなる。また、表示電極Ｙは透明導体１４および金属帯１５からなる。金属帯１３および金属帯１５は表示ラインの全長にわたる。
【００２１】
表示電極Ｘの透明導体１２は、金属帯１３を覆い且つ金属帯１３に接するコンタクト部と、金属帯１３からセルの中央部へ向かって張り出す放電のための主部（放電部とも呼ばれる）とからなる。例示のコンタクト部は、表示ラインの全長にわたって延び、該当するセル内で金属帯１３を完全に覆う。すなわち、コンタクト部と金属帯１３との接触面積はセル間で均等である。また、例示の主部は、金属帯１３と平行な短い水平帯と、当該水平帯とコンタクト部とに連なる短い垂直帯とからなるいわゆるＴ字状に形成されている。同様に、表示電極Ｙの透明導体１４は、金属帯１５を覆い且つ金属帯１５に接するコンタクト部と、金属帯１５からセルの中央部へ向かって張り出す主部とからなる。コンタクト部および主部の形状についても表示電極Ｘと同様である。発光色に関わらず、セル５１，５２，５３のいずれにおいても、表示電極Ｘの主部とそれに隣接する表示電極Ｙの主部とによって一定長の面放電ギャップが形成される。
【００２２】
図３（Ｂ）によく示されるように、表示電極Ｙの透明導体１４と比べて、表示電極Ｘの透明導体１２は薄い。透明導体１４は厚さＴ１をもち、透明導体１２は厚さＴ１よりも値の小さい厚さＴ２をもつ。これら厚さＴ１およびＴ２の具体例については後述する。
【００２３】
なお、金属帯１３，１５は数μｍ程度の厚さをもち、透明導体１２Ａ，１４Ａよりも十分に厚い。金属帯１３，１５の厚さは全長にわたって一様である。ただし、金属帯１３，１５においても通電時に電圧降下が生じるので、セル間での電圧降下による放電強度のばらつきを低減するため、例えば画面の中央部では端部よりも厚くなるように金属帯１３，１５の厚さを意図的に不均一にしてもよい。
【００２４】
図４のとおり、透明導体１２，１４の単位長さあたりの抵抗値は透明導体１２，１４の厚さに依存し、薄いほど抵抗値は大きい。図４はスパッタリングにより成膜した酸化インジウム・錫（ＩＴＯ）における抵抗値の膜厚依存性を示す。図において例えば膜厚２０００Åでは約７５Ω／ｃｍであり、膜厚１２００Åでは約３３０Ω／ｃｍである。
【００２５】
表示電極Ｘの透明導体１２は表示電極Ｙの透明導体１４よりも薄いので、透明導体１２の単位長さあたりの抵抗値は透明導体１４の単位長さあたりの抵抗値よりも大きい。この抵抗値の差異が背景発光の輝度の低減に関わる。
【００２６】
ここで、プラズマディスプレイパネル１による表示に適用される駆動シーケンスを説明する。駆動シーケンスの一例を示す図５において、表示電極Ｘおよびアドレス電極Ａに係る波形が総括的に描かれ、表示電極Ｙについては先頭の表示電極Ｙ（１）に係る波形が描かれている。図示の波形は一例であり、振幅・極性・タイミングを種々変更することができる。パルスベース電位は接地電位に限らない。
【００２７】
表示には広く知られるサブフレーム法が適用される。入力画像であるフレームに置き換えられる所定数のサブフレームのそれぞれに、リセット期間、アドレス期間、およびサステイン期間が割り当てられる。リセット期間に画面内の全セルの壁電圧を均等にする初期化が行われ、アドレス期間に表示データに応じて各セルの壁電圧を制御するアドレッシングが行われる。そして、サステイン期間において、発光すべきセルのみで表示放電を生じさせるサステインが行われる。１フレームは、初期化、アドレッシング、およびサステインを繰り返すことで表示される。
【００２８】
リセット期間において、いわゆる鈍波リセットが行われる。鈍波リセットは、図示のランプ波形パルスに代表される鈍波パルスの印加によって微弱な放電を連続的に生じさせ、それによって壁電荷量を調整する操作である。例示の鈍波リセットでは、表示電極Ｙに対して正の鈍波パルスＰｒ１および負の鈍波パルスＰｒ２が順に印加される。このとき、電極間電圧の上昇を早めるために、表示電極Ｘにオフセットバイアスが与えられる。正の鈍波パルスＰｒ１を印加するときには表示電極Ｙにもオフセットバイアスが与えられる。１回目の鈍波パルスの印加は前点灯セルと前消灯セルとの間の壁電圧の差を小さくする。２回目の鈍波パルスの印加は全セルの壁電圧を設定値に揃える。前点灯セルとは注目するサブフレームの１つ前のサブフレームにおいて点灯したセルであり、前消灯セルとは前点灯セル以外のセルである。
【００２９】
アドレス期間において、表示電極Ｘはリセット期間から引き続いて正電位にバイアスされる。表示電極Ｙはいったん接地電位とされ、その後に表示電極Ｙに対して１本ずつ順にスキャンパルスＰｙが印加される。これにより順次形式の表示ライン選択が行われる。表示ライン選択に同期して、選択ラインにおける発光すべきセルに対応したアドレス電極Ａに振幅ＶａのアドレスパルスＰａが印加される。
【００３０】
サステイン期間においては、全ての表示電極Ｘに負極性のサステインパルスと正極性のサステインパルスとを交互に印加し、全ての表示電極Ｙに正極性のサステインパルスと負極性のサステインパルスとを交互に印加する。サステインパルスの振幅はサステイン電圧（Ｖｓ）の１／２である。表示電極Ｘと表示電極Ｙとに極性の異なるサステインパルスを同時に印加することにより、表示電極間に絶対値Ｖｓが例えば１８０ボルト程度のサステイン電圧が一斉に加わる。このサステイン電圧は、発光すべきセルにおいて表示放電（サステイン放電ともいう）を起こす。サステイン電圧の印加回数は当該サブフレームの輝度の重みに応じた数である。
【００３１】
このような駆動シーケンスによる本実施形態のプラズマディスプレイパネル１の駆動においては、リセット期間にアドレス期間に印加されるパルスの振幅をアドレッシングに必要な量の壁電荷が形成されるように十分に大きい値に設定しても、リセット期間に表示電極間で生じる放電による発光の輝度を低減することができる。それは、表示電極Ｘの透明導体１２の抵抗値が比較的に大きく、そのために放電電流が流れにくいからである。放電電流が減少しても表示電極間には印加電圧に応じた所定強度の電界が生じるので、空間電荷の誘電体層１７への静電吸着する壁電荷形成が十分に進む。
【００３２】
一方、アドレス期間においては、透明導体１２の抵抗値が比較的に小さい表示電極Ｙ（スキャン電極）とアドレス電極Ａとの間のアドレス放電に際して、相応の放電電流が流れる。
【００３３】
サステイン期間においては、表示放電の放電電流が表示電極Ｘの透明電極１２によって抑制されるものの、表示放電による発光の輝度は背景発光の輝度と比べて格段に大きいので、実質的には放電電流の抑制の影響はない。
【００３４】
図６のようにリセット期間の放電による発光の輝度である背景輝度が透明導体の抵抗値に依存する。抵抗値が約７５Ω／ｃｍの場合の背景輝度が約０．８５ｃｄ／ｍ２であるのに対して、抵抗値が約３３０Ω／ｃｍの場合の背景輝度は約０．７４ｃｄ／ｍ２である。図６からは約１３％の背景輝度の低減が可能であることがわかる。
【００３５】
これを踏まえて、プラズマディスプレイパネル１では、スキャン電極として用いる表示電極Ｙにおける透明導電膜１４の厚さＴ１（図３参照）が２０００Åとされ、表示電極Ｘにおける透明導電膜１２の厚さＴ２が１２００Åとされている。
【００３６】
本実施形態のプラズマディスプレイパネル１の製造において、透明導体１２，１４は次の方法によって形成することができる。ただし、これに限らない。前面基板１１にスパッタリングによって厚さＴ２のＩＴＯ膜を成膜する。フォトリソグラフィによってＩＴＯ膜を透明導体１２，１４のパターンにパターニングする。再びＩＴＯ膜を成膜する。そのとき、厚さをＴ１とＴ２との差に相当する値とする。そして、以前に形成したパターンのうちの透明導体１４に対応するもののみを覆うマスクを形成する。ＩＴＯ膜の非マスキング部分をエッチングし、透明導体１２，１４を得る。
【００３７】
なお、透明導体１２，１４の材質は酸化インジウム・錫（ＩＴＯ）に限らず、酸化錫（ＳｎＯ２）、酸化亜鉛（ＺｎＯ）、酸化インジウム（Ｉｎ２Ｏ３）などの他の透明導電物質であってもよい。
【００３８】
以上の第１の実施形態は図７に示す構成のプラズマディスプレイ装置において実施することができる。
【００３９】
プラズマディスプレイ装置１００は、上述の３電極面放電ＡＣ型のプラズマディスプレイパネル１と、プラズマディスプレイパネル１を駆動する駆動回路９０とから構成さる。駆動回路９０は、表示電極Ｘに駆動電圧を印加するＸドライバ９１、表示電極Ｙに駆動電圧を印加するＹドライバ９２、アドレス電極Ａに駆動電圧を印加するＡドライバ９３、プラズマディスプレイパネル１への駆動電圧の印加を制御するコントローラ９５、および電源回路９６を備える。
【００４０】
Ｘドライバ９１はサステインパルスを印加する回路９１１およびリセットのためのバイアス回路９１２を有する。Ｙドライバ９２は、スキャンパルスを印加する回路９２１、サステインパルスを印加する回路９２２、およびリセットのためのパルスを印加する回路９２３を有する。
【００４１】
駆動回路９０には、ＴＶチューナ、コンピュータなどの画像出力装置からフレームレート１／３０秒のカラー映像信号Ｓ１が入力される。このカラー映像信号Ｓ１は、コントローラ９５のデータ処理ブロックによってプラズマディスプレイパネル１による表示のためのサブフレームデータに変換される。
【００４２】
次に第２の実施形態を説明する。
【００４３】
第２の実施形態に係るプラズマディスプレイパネル２は、上述の第１の実施形態に係るプラズマディスプレイパネル１における表示電極Ｘに代えて、図８に示される表示電極Ｘｂを備える。この点を除いて、プラズマディスプレイパネル２の構成はプラズマディスプレイパネル１の構成と同様である。
【００４４】
図８において、表示電極Ｘｂは透明導体１２ｂおよび金属帯１３からなる。透明導体１２ｂの形状は上記第１実施形態の透明胴体２と同様である。
【００４５】
プラズマディスプレイパネル２では、透明導体１２ｂの材質が、表示電極Ｙにおける透明導体１４の材質と異なる。例えば、透明導体１４がＩＴＯからなるのに対して、透明導体１２ｂはＩＴＯよりも体積抵抗率の大きい透明導電材料である酸化亜鉛からなる。材質を異ならせ且つ膜厚Ｔ２，Ｔ３を適切に選定することによって、透明導体１２ｂ，１４の単位長さあたりの抵抗値が上述の例と同様に選定されている。
【００４６】
透明導体１２ｂ，１４は次の方法によって形成することができる。前面基板１１に透明導体１２ｂに対応した開口をもつマスクを形成し、開口内に所定厚さの酸化亜鉛膜を成膜して透明導体１２ｂを得る。形成された透明導体１２ｂを覆うマスクを形成し、非マスキング領域にＩＴＯ膜を成膜する。透明導体１２ｂ，１４のパターンに対応するマスクを形成する。ＩＴＯ膜の非マスキング部分をエッチングし、透明導体１４を得る。
【００４７】
以上の第１および第２の実施形態において、各要素の材質、形状、配置などは本発明の趣旨に沿う範囲内で適宜変更することができる。金属帯１３，１５およびアドレス電極Ａは、銀または銀合金を主体とする厚膜材料の焼結体であってもよいし、クロム−銅−クロムに代表される複層の薄膜であってもよい。さらに、アルミニウム、金、銅からなるものでもよい。
【００４８】
表示電極Ｘ，Ｘｂ，Ｙの配列形式は、各表示ラインに一対の表示電極が個別に対応する図示した一般的な形式に限らず、配列の両端を除く表示電極が隣接する２つの表示ラインに対応する等間隔配列形式であってもよい。
【００４９】
透明導体の各セルに対応するコンタクト部が隣接セルのコンタクト部と連続していてもよいし、離れていてもよい。透明導体の主部の形状は図示のＴ字状に限らず、他の多角形を含む任意の形状でよい。
【００５０】
隔壁パターンは、画面５０の垂直方向（または水平方向）の全長にわたる複数の隔壁を平行に配置するストライプパターンでもよいし、画面５０内のセルを個々に区画するメッシュパターンでもよい。セル配置は正方配列でも三角配列でもよい。
【００５１】
上述の第１および第２の実施形態において、アドレッシングのための電極対の一方である走査電極として用いる表示電極Ｙの透明部分の抵抗値を従来例と同様とし、表示電極Ｘの透明部分の抵抗値を従来例よりも大きくすれば、従来例に対する駆動と同様の駆動方法によって、アドレッシングの信頼性を損なわずにリセット期間における背景輝度を低減し、コントラストの改善された表示を実現することができる。
【産業上の利用可能性】
【００５２】
本発明は、パーソナルコンピュータやワークステーションなどの情報処理機器のディスプレイ、平面型のテレビジョン、広告や案内情報などの公衆表示用のディスプレイなどに利用することができる。
【図面の簡単な説明】
【００５３】
【図１】本発明の実施形態に係るプラズマディスプレイパネルの電極配列の概要を示す図である。
【図２】プラズマディスプレイパネルのセル構造の一例を示す図である。
【図３】第１の実施形態に係るプラズマディスプレイパネルの表示電極の構成を示す図である。
【図４】表示電極の要素である透明導体における厚さと単位長あたりの抵抗値との関係を示すグラフである。
【図５】駆動電圧波形の一例を示す図である。
【図６】透明導体の単位長あたりの抵抗値と背景輝度との関係を示すグラフである。
【図７】プラズマディスプレイ装置の構成を示す図である。
【図８】第２の実施形態に係るプラズマディスプレイパネルの表示電極の構成を示す図である。
【００５４】
１，２    プラズマディスプレイパネル
５０    画面
５１，５１，５３    セル
Ｘ，Ｘｂ    表示電極（第１電極）
Ｙ    表示電極（第２電極）
Ａ    アドレス電極（第３電極）
１２，１２ｂ    透明導体（第１電極の透明導体）
１４    透明導体（第２電極の透明導体）
９２１    回路（スキャンドライバ）
９３    Ａドライバ（アドレスドライバ）
９１１，９２２  回路（サステインドライバ）
１００    プラズマディスプレイ装置
【図１】
2008146982.tif 000003
【図２】
2008146982.tif 000004
【図３】
2008146982.tif 000005
【図４】
2008146982.tif 000006
【図５】
2008146982.tif 000007
【図６】
2008146982.tif 000008
【図７】
2008146982.tif 000009
【図８】
2008146982.tif 000010